(57)【要約】【課題】  下枠本体および上面構成部材を備え、上面が略フラットな下枠を有するサッシ窓において、上面構成部材を容易に取り外すことができるサッシ窓の提供。【解決手段】  下枠１２は、下枠本体１２Ｄと、下枠本体１２Ｄに対して着脱可能に取り付けられて下枠本体１２Ｄとともに下枠１２の上面を構成する上面構成部材７０Ａとを備えて構成し、下枠１２の上面は略フラットに形成する。下枠本体１２Ｄの端部は、縦枠１３の内周面１３Ａに突設された突設部の下側まで延長して縦枠１３に連結する。上面構成部材７０Ａの端部および縦枠１３間には、前記突設部の下側に位置するコーナー部品２００を配置する。コーナー部品２００が配置されるので、上面構成部材７０Ａを縦枠１３の突設部に干渉せずに配置でき、上面構成部材７０Ａを容易に取り外すことができる。【選択図】図５
2005113607.tif 000002
【特許請求の範囲】
【請求項１】
上枠、下枠および左右の縦枠で構成された窓枠と、この窓枠内に組み込まれた障子とを備えたサッシ窓であって、
前記縦枠は、窓枠内周に面する内周面と、この内周面から突出された突設部とを有し、
前記下枠は、下枠本体と、この下枠本体に対して着脱可能に取り付けられて下枠本体とともに下枠の上面を構成する上面構成部材とを備えて構成され、かつ下枠の上面は略フラットに形成され、
前記下枠本体の端部は、前記縦枠の内周面に当接して縦枠に連結され、
前記上面構成部材の端部と縦枠の間には、前記突設部の下側に位置するコーナー部品が配置されているサッシ窓。
【請求項２】
前記下枠と障子のいずれか一方には、障子が閉鎖位置に位置する際に他方に当接するシール材が取り付けられ、
前記縦枠と障子のいずれか一方には、障子が閉鎖位置に位置する際に他方に当接するシール材が取り付けられ、
前記各シール材は、障子が閉鎖位置に位置する際にコーナー部品に当接され、このコーナー部品によって前記各シール材で構成される各タイトライン同士が連続されている請求項１に記載のサッシ窓。
【請求項３】
前記下枠と障子の間に設けられるシール材は、前記上面構成部材に取り付けられている請求項２に記載のサッシ窓。
【請求項４】
前記コーナー部品にはコーナー部品の室内面から室外面まで貫通する排水孔が形成され、この排水孔には排水弁が設けられている請求項１〜３のいずれかに記載のサッシ窓。
【請求項５】
前記縦枠は、金属製の縦枠本体と、この縦枠本体において障子を閉めた際に室内側に露出する室内露出面を被覆するカバー材とを備えて構成され、
前記縦枠本体は、前記内周面と、この内周面から突設された突片とを備え、
前記縦枠の突設部は、縦枠本体の突片およびカバー材の両方で構成されている請求項１〜４のいずれかに記載のサッシ窓。
【請求項６】
前記コーナー部品は、前記下枠本体に固定され、前記上面構成部材はコーナー部品にビス止めされている請求項１〜５のいずれかに記載のサッシ窓。
【発明の詳細な説明】
【技術分野】
【０００１】
本発明は、下枠上面が同じ高さレベルとされた略フラットなバリアフリー用のサッシ窓に関し、特に、外障子および内障子を備えた引違い形式や、１つの障子が設けられた片引き形式のサッシ窓等に利用できる。
【背景技術】
【０００２】
引違い形式のサッシ窓において、金属部材および樹脂部材等の２つ以上の部材で下枠を構成したサッシ窓が知られている（例えば、特許文献１参照）。
ここで、サッシ窓の窓枠は、通常、縦枠において障子側（窓枠内周側）に面する内周面に、上枠および下枠の端面を当接させてビス等で接合して構成される。また、縦枠の内周面には障子の引き寄せに用いられるガイド片や、気密や水密用のシール材が取り付けられる突片等が設けられる。また、断熱性能を高めた断熱サッシにおいては、縦枠の内周面に合成樹脂製等の断熱材で構成された断熱カバー材を取り付けたものもある。
このため、縦枠の上下両端部では、ガイド片や突片を切り欠いて内周面をフラットな平面とし、この平面部分に上枠および下枠を当接させてビスなどで接合していた。また、断熱カバー材を設ける場合には、断熱カバー材の長さ寸法を縦枠の長さ寸法（上下寸法）よりも短くして、下枠が接合される前記平面部分にはカバー材が配置されないように構成していた。
【０００３】
従って、特許文献１の図２に示すように、下枠を構成する下枠用金属部材や樹脂部材は、縦枠のガイド片、突片の下側や、縦枠の内側面に取り付けられる断熱カバー材の下側に配置されていた。このため、前記特許文献１では、下枠用金属部材に取り付けた樹脂部材の端部上面を、縦枠に取り付けた断熱カバー材で係止して、樹脂部材の端部が浮上することを防止していた。
【０００４】
【特許文献１】特開平１０−３２５２８０号公報（図２）
【発明の開示】
【発明が解決しようとする課題】
【０００５】
ところで、特許文献１では、外レールおよび内レールの上端高さレベルが略同一であるため、各レール間に配置された樹脂部材を取り外す場合には、上方に取り外さなければならない。
しかしながら、前記特許文献１では、樹脂部材の端部上側には縦枠の断熱カバー材が係合しているので、前記樹脂部材を取り外す場合には、縦枠に取り付けた断熱カバー材を先に取り外さなければならず、取り外し作業が煩雑になるという問題があった。
さらに、縦枠から取り外すことができないガイド片や突片等の下側に樹脂部材が配置されている場合には、樹脂部材を取り外すことができなかったり、取り外し作業が非常に困難になったりするという問題があった。
【０００６】
このような問題は、各レール間の隙間を無くすために、各レール間に各レール上端と同じ高さレベルの上面を有する上面構成部材を、下枠本体に対して着脱自在に取り付けた場合や、障子を案内する上面構成部材であるレール部材を、下枠本体に対して着脱自在に取り付けた場合など、特に下枠上面を略フラットに形成したバリアフリー対応のサッシ窓を構成した場合に、特に顕著な問題であった。
【０００７】
本発明の目的は、下枠本体および上面構成部材を備えて構成されて上面が略フラットな下枠を有するサッシ窓において、前記上面構成部材を容易に取り外すことができるサッシ窓を提供することにある。
【課題を解決するための手段】
【０００８】
本発明は、上枠、下枠および左右の縦枠で構成された窓枠と、この窓枠内に組み込まれた障子とを備えたサッシ窓であって、前記縦枠は、窓枠内周に面する内周面と、この内周面から突出された突設部とを有し、前記下枠は、下枠本体と、この下枠本体に対して着脱可能に取り付けられて下枠本体とともに下枠の上面を構成する上面構成部材とを備えて構成され、かつ下枠の上面は略フラットに形成され、前記下枠本体の端部は、前記縦枠の内周面に当接して縦枠に連結され、前記上面構成部材の端部と縦枠の間には、前記突設部の下側に位置するコーナー部品が配置されていることを特徴とする。
【０００９】
このような本発明によれば、上面構成部材と縦枠の間にコーナー部品を配置し、前記上面構成部材が縦枠の突設部の下側に配置されないように構成しているので、上面構成部材を下枠本体に対して上方に取り外す際に、縦枠の突設部に干渉することなく取り外すことができる。このため、上面がフラットな下枠においても上面構成部材を容易に取り外すことができる。従って、下枠本体表面を清掃する際も、上面構成部材を取り外して容易に作業できる。
なお、前記突設部の下側にコーナー部品が位置するとは、上面構成部材は前記突設部の下側に位置しないように形成され、この突設部の下側に位置しない上面構成部材と縦枠の間にコーナー部品が配置されていることを意味する。従って、コーナー部品の一部に突設部の下側に配置されず、突設部の下端縁よりも上方に位置する部分が存在していてもよく、要するにコーナー部品は少なくとも突設部の下側に位置する部分を有していればよい。すなわち、前記上面構成部材の端部と縦枠の間に前記コーナー部品が配置され、前記上面構成部材は前記突設部の下側に位置しないものであればよい。
また、上面構成部材は、例えば、下枠本体側に外レールおよび内レールを形成した際に、各レール間に配置されて各レール間の隙間を塞いで車椅子の車輪がスムーズに移動できるようにするためや、下枠本体側にレールを形成しなかった場合に、外レールや内レールを構成するために設けられるものである。
【００１０】
ここで、前記下枠と障子のいずれか一方には、障子が閉鎖位置に位置する際に他方に当接するシール材が取り付けられ、前記縦枠と障子のいずれか一方には、障子が閉鎖位置に位置する際に他方に当接するシール材が取り付けられ、前記各シール材は、障子が閉鎖位置に位置する際にコーナー部品に当接され、このコーナー部品によって前記各シール材で構成される各タイトライン同士が連続されていることが好ましい。
このような構成によれば、縦枠と障子の間のタイトライン（気密ライン）と、下枠と障子の間のタイトラインとが下枠の見込み方向にずれていても、コーナー部品を介在させることで各タイトラインを確実に繋ぐことができ、気密性能や水密性能を向上できる。
【００１１】
ここで、前記下枠と障子の間に設けられるシール材は、前記上面構成部材に取り付けられていることが好ましい。
下枠本体に対して着脱可能な上面構成部材にシール材を取り付けていれば、仮にシール材が破損・劣化した場合でも、上面構成部材を下枠本体から取り外すことで、前記シール材を容易に交換することができる。
【００１２】
前記コーナー部品にはコーナー部品の室内面から室外面まで貫通する排水孔が形成され、この排水孔には排水弁が設けられていることが好ましい。
コーナー部品に排水孔を形成すれば、下枠本体や上面構成部材に排水孔を形成する必要がないため、押出成形などによって製造される下枠本体や上面構成部材を容易に生産できて生産性を向上できる。
また、排水孔には排水弁を設けられているので、排水弁の内側に所定量の雨水が溜まった場合等、所定の条件を満足する場合のみ、排水弁が開いて雨水等が排水するように構成できる。このため、排水孔が常時開口することを防止でき、外気が排水孔から障子の室内側に流入することを防止でき、気密性能の低下を防止でき、かつ雨水等が排水孔から室内側に浸入することも防止できる。
さらに、外気が障子の室内側に流入しないので、サッシ窓の断熱性能を向上できる。このため、下枠に断熱材を介在させて断熱枠とした場合にも、断熱性能の低下を防止できる。
【００１３】
また、前記縦枠は、金属製の縦枠本体と、この縦枠本体において障子を閉めた際に室内側に露出する室内露出面を被覆するカバー材とを備えて構成され、前記縦枠本体は、前記内周面と、この内周面から突設された突片とを備え、前記縦枠の突設部は、縦枠本体の突片およびカバー材の両方で構成されているものでもよい。
縦枠の室内露出面での結露発生を防止するためなどで合成樹脂製カバー材等の断熱性に優れたカバー材を取り付けることがあるが、このようなカバー材を縦枠の内周面に取り付けると、縦枠内周面から突設する突設部が大きくなる。従って、縦枠にカバー材が取り付けられたサッシ窓においては、カバー材が設けられることによって突設部が大きくなるため、従来のように端部が突設部下側に位置する部材は取り外しがより一層困難になるが、本発明によればコーナー部品が配置されて上面構成部材はカバー材の突設部の下側には配置されていないので、上面構成部材を容易に取り外すことができる。
【００１４】
ここで、前記コーナー部品は、前記下枠本体に固定され、前記上面構成部材はコーナー部品にビスで固定されていることが好ましい。
上面構成部材は、例えば、下枠本体に直接取り付けてもよいが、前記コーナー部品にビスで固定されていれば、例えば、上面構成部材を合成樹脂製とし、下枠本体をアルミなどの金属製として熱伸び量が相違する場合に、上面構成部材のコーナー部品側の端縁がコーナー部品から離れて隙間が生じることを確実にかつ容易に防止できる。
【発明を実施するための最良の形態】
【００１５】
以下、本発明の一実施形態を図面に基づいて説明する。なお、図１，２では、サッシ窓１の縦断面および横断面が示されているが、図面を見やすくするために、主要な構成部材については、その断面部分のハッチングを省略してある。
【００１６】
〔全体構造〕
図１、２において、サッシ窓１は、引違い窓を構成するものであって、より詳しくは、戸建て住宅やマンション等においてバルコニー等に出入りする部分に設けられるテラス戸である。このサッシ窓１は、建物の開口部に取り付けられた窓枠１０と、この窓枠１０内に摺動可能に建て付けられた室外側の外障子２０Ａおよび室内側の内障子２０Ｂとを備え、外障子２０Ａの室外側には網戸が建て付けられるようになっている。
【００１７】
外障子２０Ａは、アルミ押出形材製の室外部材と合成樹脂製の室内部材とで構成された上框２１、下框２２、戸先框２３と、アルミ押出形材製の召合せ框２４とを框組みした内部に、複層ガラス２５を嵌め込んで構成されている。
内障子２０Ｂは、アルミ押出形材製の室外部材と合成樹脂製の室内部材とで構成された上框２６、下框２７、戸先框２８、召合せ框２９とを框組みした内部に、複層ガラス２５を嵌め込んで構成されている。
【００１８】
一方、窓枠１０は、上枠１１、下枠１２および左右の縦枠１３，１４を四周枠組みして構成されている。
上枠１１および左右両端の縦枠１３，１４は、それぞれ非鉄金属であるアルミを押出成形によって一体成形したアルミ押出形材で構成されている。
下枠１２は、アルミ押出形材製の室外部材１２Ａと、同様にアルミ押出形材製の室内部材１２Ｂと、これらを連結する合成樹脂等の断熱材からなる連結部材１２Ｃとを含んだ断熱形材で構成されている。
ここで、連結部材１２Ｃは、溶融したウレタン樹脂等の合成樹脂を室外部材１２Ａ、室内部材１２Ｂ間の対向するポケット部分に注入、硬化させることで形成されている。ただし、予め成型された硬質合成樹脂製の板状部材で連結部材を形成してもよく、このような板状部材は、室内外部材間にかしめ等によって取り付けられる。
【００１９】
上枠１１の下面には、外レール１５が垂設され、この外レール１５の室内側つまり窓枠１０の開口内周面には断熱性を有する樹脂や合成木材等で形成された断熱性カバー７１が取り付けられている。断熱性カバー７１は上枠１１よりも室内側に延長されており、その室内側端縁は図示しない額縁に取り付けられている。従って、断熱性カバー７１は、上枠１１の外レール１５よりも室内側部分、つまり上枠１１の室内側露出面部を被覆している。なお、露出面部とは、窓枠１０の開口内周面において外障子２０Ａ、内障子２０Ｂを閉めた際に室内側に露出する部分（見えがかり部）を意味する。
【００２０】
また、上枠１１には、内レール１６を構成する内レール部材１１Ａが配置されている。この内レール部材１１Ａは、断熱性カバー７１を介して図示しないまぐさ等の建物躯体側にビスをねじ込むことなどで取り付けられている。これにより、内レール１６部分は室内側に露出するが、断熱性カバー７１が介在されていることで上枠１１からの熱の伝導が抑えられている。
一方、下枠１２の室外部材１２Ａおよび室内部材１２Ｂには、それぞれ上方に突設した外レール１７および内レール１８が設けられている。
【００２１】
図２に示すように、縦枠１３，１４において、窓枠内周側である障子２０Ａ，２０Ｂ側に面した内周面１３Ａ，１４Ａには、各障子２０Ａ，２０Ｂを案内するガイド片１３１，１３２がそれぞれ突設されている。
また、縦枠１３の室内側露出面部には断熱性カバー７２が取り付けられ、このカバー７２の室外面には前記外障子２０Ａの室内面に当接するシール材（気密材、ＡＴ材）７５が取り付けられている。
一方、縦枠１４の室内側露出面部にも断熱性カバー７３が取り付けられている。さらに、縦枠１４の内周面において、内障子２０Ｂの室外面よりもわずかに室外側の位置にはシール材７６が取り付けられた突片１３３が突設されている。
【００２２】
縦枠１３の内周面には、その見込み方向の位置がガイド片１３１よりも室内側であり、前記外障子２０Ａの室内面よりも室外側の位置に突設された第１係止片１３４と、見込み方向の位置が外障子２０Ａの室内面よりも室内側の位置に突設された第２係止片１３５と、縦枠１３の室内側端縁に形成された係合凹部１３６が縦枠１３の長手方向つまり窓枠１０の上下方向に沿って形成されている。
断熱性カバー７２は、縦枠１３の内周面に沿って配置されて前記第１係止片１３４、第２係止片１３５間に係合される係合片部７２１と、係合片部７２１から窓枠１０の内側に突設されて前記シール材７５が取り付けられるシール材取付部７２２と、このシール材取付部７２２から室内側に延長されたカバー部７２３と、このカバー部７２３の裏面側から突設されて前記係合凹部１３６に係合される係合部７２４とを備えて構成されている。この断熱性カバー７２は、合成樹脂の押出形材などで構成されている。
【００２３】
一方、縦枠１４のガイド片１３２の室内面および縦枠１４の室内側端縁には、それぞれ係合用突片が縦枠１４の長手方向に沿って形成されている。
断熱性カバー７３は、前記各係合用突片間に係合された係合片部７３１と、この係合片部７３１から室内側に延長されたカバー部７３３とを備えて構成されている。
そして、各断熱性カバー７２，７３は、それぞれ合成樹脂の押出形材などで構成され、各係合片部７２１，７３１部分を縦枠１３，１４にビス止めされている。
【００２４】
〔下枠構造〕
次に、下枠１２について、図３，４をも参照して詳説する。
下枠１２の各レール１７，１８間には、室外部材１２Ａに対し下枠１２の長手方向に沿って一体成形された支持片部４１が設けられている。この支持片部４１の上面には上面構成部材７０が着脱可能に取り付けられている。従って、室外部材１２Ａ、室内部材１２Ｂ、連結部材１２Ｃにより下枠本体１２Ｄが構成され、この下枠本体１２Ｄと、前記下枠本体１２Ｄに対して着脱自在に取り付けられた上面構成部材７０とで下枠１２が構成されている。
そして、上面構成部材７０は、下枠本体１２Ｄとともに下枠１２の略フラットな上面を構成している。すなわち、各レール１７，１８の上面（上端）高さレベルと、上面構成部材７０の上面高さレベルは略同一とされ、下枠１２は各レール１７，１８間の隙間が前記上面構成部材７０でほぼ塞がれ、上面が略フラットで段差の小さいバリアフリータイプの下枠とされている。
【００２５】
前記支持片部４１は、室外部材１２Ａの上面４４から上方に突設された立上片４１Ａと、この立上片４１Ａの上端から室外側および室内側に延出された水平面部４１Ｂと、前記立上片４１Ａの上端部および下端部間であり、上端部の近傍から室内側に延出された係合部４１Ｃとを備えて構成されている。水平面部４１Ｂの高さレベルは、各レール１７，１８の上端レベルよりも低くされているが、前記連結部材１２Ｃの上面の高さレベルよりも高くされている。
ここで、前記上面４４は室内側から室外側に向かって低くなるように傾斜され、水勾配が付けられている。そして、前記連結部材１２Ｃが充填されるポケット部の高さ位置は、上面４４の最も高い室内側よりも上方とされている。このため、前記連結部材１２Ｃの上面レベルは、上面４４よりも高い位置とされている。
【００２６】
支持片部４１は、室外部材１２Ａの押出成形時に室外部材１２Ａと一体に成形されるが、その長手方向の略中央部は所定幅寸法で切り欠かれている。この切欠部分には、各レール１７，１８間に渡って配置された図示しない風止め部材が嵌め込まれている。この風止め部材の配置位置は、各障子２０Ａ，２０Ｂを閉鎖状態にした際に、各障子の召合せ框２４，２９の直下位置に対応している。
従って、上面４４の上方の空間は、風止め部材によって左右に区画され、各レール１７，１８間においては、閉鎖状態にある外障子２０Ａの室内側に位置する領域Ａ、つまり風止め部材から外障子２０Ａが当接する縦枠１３までの領域Ａが、外障子２０Ａが閉鎖状態とされた位置に対応した外障子側領域Ａとなる。一方、閉鎖状態にある内障子２０Ｂの室外側に位置する領域Ｂ、つまり風止め部材から内障子２０Ｂが当接する縦枠１４までの領域Ｂが、内障子２０Ｂが閉鎖状態とされた位置に対応した内障子側領域Ｂとなる。
【００２７】
一方、室外部材１２Ａの室外端縁の上端は室内側に延出された室外側水平面部１０１が形成されている。また、外レール１７は、戸車が案内される案内部１７Ａと、この案内部１７Ａの下側において前記室外側水平面部１０１と同じ高さレベルで室内外両側にそれぞれ延出されたレール水平面部１７Ｂとを備えて構成されている。
また、前記室外側水平面部１０１および外レール１７間には断面略コ字状に形成されて下枠１２の長手方向に沿って形成された長尺の押出形材からなる第１アタッチメント１１０が室外部材１２Ａに対して着脱自在に取り付けられている。この第１アタッチメント１１０の上面高さレベルも、前記室外側水平面部１０１と同一高さレベルとされている。
【００２８】
室内部材１２Ｂの室内端縁にも室内側に延出された室内側水平面部１０２が形成されている。また、内レール１８は、戸車が案内される案内部１８Ａと、この案内部１８Ａの下側において前記室内側水平面部１０２と同じ高さレベルで室内外両側にそれぞれ延出されたレール水平面部１８Ｂとを備えて構成されている。
また、前記室内側水平面部１０２および内レール１８間には断面略コ字状に形成されて下枠１２の長手方向に沿って形成された長尺の押出形材からなる第２アタッチメント１２０が室内部材１２Ｂに対して着脱自在に取り付けられている。この第２アタッチメント１２０の上面高さレベルも、前記室外側水平面部１０１や前記室内側水平面部１０２と同一高さレベルとされている。
【００２９】
従って、下枠１２の上面は、室外側から前記室外側水平面部１０１、第１アタッチメント１１０、レール水平面部１７Ｂ、前記上面構成部材７０、レール水平面部１８Ｂ、第２アタッチメント１２０、前記室内側水平面部１０２によるフラットな水平面と、前記フラットな水平面よりもわずかに突出されているだけの前記案内部１７Ａ，１８Ａとによって、略フラットな水平面となっている。
この下枠１２の室内側には、図示しない室内床材が配置され、この床材上に前記室内側水平面部１０２が載置固定されている。また、下枠１２の室外側には、テラスやバルコニーの床材となる図示しない室外床材が配置されている。この室外床材の上面は前記室外側水平面部１０１と同一高さレベルに設定されている。
従って、居住者がサッシ窓（引違い窓）１を通って室内外間を往来する際に、室内外床レベルの段差がないので上り下りする必要がなく、楽に出入りできるとともに、前記室外側水平面部１０１、第１アタッチメント１１０、レール水平面部１７Ｂ、上面構成部材７０、レール水平面部１８Ｂ、第２アタッチメント１２０、前記室内側水平面部１０２が設けられることで、下枠１２の上面に形成される隙間の見込み寸法（室内外方向の寸法）が小さくされているので、各隙間に車椅子のキャスター等が嵌ることもなく、車いすを利用する居住者であっても容易に出入りできるようになっている。すなわち、サッシ窓１は、室内外の床段差を小さくした、バリアフリータイプの掃出し窓である。
【００３０】
上面構成部材７０は、外障子側領域Ａに設けられる上面構成部材７０Ａと、内障子側領域Ｂに設けられる上面構成部材７０Ｂとで構成されている。
上面構成部材７０Ａは、硬質ＰＶＣ（ポリ塩化ビニル）等の樹脂材あるいはアルミ等の金属材で構成され、閉鎖状態の外障子２０Ａが配置される外障子側領域Ａに配置されて室内側に露出するため、断熱性能を向上するために合成樹脂材によって構成することが好ましい。
一方、上面構成部材７０Ｂは、閉鎖状態の内障子２０Ｂが配置される内障子側領域Ｂに配置されて室外側に露出するため、アルミ等の金属製の押出形材等の耐候性に優れた材質で構成することが好ましい。
【００３１】
各上面構成部材７０Ａ，７０Ｂは、ほぼ同様の断面形状に形成されており、角筒状の中空部７０１と、中空部７０１の室内面から下方に突設された垂下片７０２と、中空部７０１の下面から下方に突設されて係合部４１Ｃに係合する係合片７０３と、中空部７０１の室外側に形成されて水平面部４１Ｂの室外端縁に係合する係合部７０４とを備えて構成されている。
なお、上面構成部材７０Ａの室外面にはその長手方向に沿って取付溝が形成され、この取付溝には外障子２０Ａの下框２２室内面に当接するシール材７０５が取り付けられている。一方、上面構成部材７０Ｂの室外側には閉鎖位置にある外障子２０Ａは配置されないため、中空部７０１の室外面にもシール材は取り付けられていないが、上面構成部材７０Ａと同様にシール材を取り付ける構成であっても良い。
【００３２】
これらの上面構成部材７０Ａ，７０Ｂと、各縦枠１３，１４間には、コーナー部品２００，３００がそれぞれ配置されている。
コーナー部品２００は、図５〜９にも示すように、縦枠１３と上面構成部材７０Ａの間に配置されている。そして、縦枠１３の内周面１３Ａから突設された突設部である第１係止片１３４、第２係止片１３５、断熱性カバー７２の下側に配置されている。すなわち、縦枠１３と下枠１２とは、下枠１２の端面を縦枠１３の内周面１３Ａに突き合わせてビス止めされており、このため、縦枠１３における下枠１２の突き合わせ部を平面とするために、縦枠１３の下端部においては内周面１３Ａから突設する部分、例えば、ガイド片１３１、第１係止片１３４、第２係止片１３５等は切り欠かれており、断熱性カバー７２もその切欠部分までは達しないように縦枠１３の長手方向の寸法よりも短い寸法とされている。
【００３３】
このため、下枠本体１２Ｄの端部は前記ガイド片１３１、第１係止片１３４、第２係止片１３５や断熱性カバー７２の下側（直下）に配置されることになる。
但し、上面構成部材７０Ａの端部側には前記コーナー部品２００が配置され、このコーナー部品２００が下枠１２の内周面から突設された突設部の下側に配置されているため、上面構成部材７０Ａは下枠１２の突設部の下側（直下）には配置されないように構成されている。すなわち、上面構成部材７０Ａは平面視で前記下枠１２の突設部と重ならないように構成され、突設部と重なる位置にはコーナー部品２００が配置されている。
なお、上面構成部材７０Ａの端部の延長線上に配置される縦枠１３の突設部は、第１係止片１３４、第２係止片１３５、係合片部７２１、シール材取付部７２２であるが、第１係止片１３４や係合片部７２１の突出量は、シール材取付部７２２部分に比べて非常に小さい。このため、上面構成部材７０Ａの中空部７０１において、見込み方向の位置が第１係止片１３４や係合片部７２１と同じとなる室外側部分７０１Ａは、室内側部分７０１Ｂよりも縦枠１３側に突出されている。このため中空部７０１の室外面に取り付けられたシール材７０５を縦枠１３の内周面１３Ａ近傍まで延長でき、閉鎖位置にある外障子２０Ａの下框２２の全長に渡ってシール材７０５を当接させることができる。
【００３４】
コーナー部品２００は、図６，７にも示すように、略直方体状に形成された本体２０１と、この本体２０１の室外側に突出された突出部２０２と、本体２０１および突出部２０２の端縁側に設けられた端縁部２０３と、この端縁部２０３の上面から上方に突出された突片部２０４と、本体２０１の端縁部２０３とは反対側に延長された連結部２０５とを備えて構成されている。コーナー部品２００は、例えば、合成樹脂製の射出成形品等で構成されている。
【００３５】
本体２０１の上面は、連結部２０５の上面よりも僅かに高いレベルとされている。後述するように、連結部２０５には上面構成部材７０の中空部７０１の上面７０１Ｃが載置され、図８にも示すように、この中空部７０１と本体２０１の各上面高さレベルが一致して各面が面一になるように設定されている。
【００３６】
突出部２０２は、本体２０１の室外面から突出されており、その高さ寸法は本体２０１よりも低くされ、突出部２０２の上面２０２Ａが支持片部４１の水平面部４１Ｂと同じ高さレベルとなるように設定されている。また、突出部２０２の下面は前記下枠１２の上面４４に当接するように構成されている。
端縁部２０３は、図４，９に示すように、断熱性カバー７２の係合片部７２１および縦枠１３の第１係止片１３４の下側に配置されている。そして、端縁部２０３の窓内周面２０３Ａには前記上面構成部材７０Ａの端縁およびシール材７０５の端縁が当接されている。
一方、突片部２０４は、縦枠１３のシール材７５および係合片部７２１間に配置され、外障子２０Ａを閉めた際に、図１０に示すように、外障子２０Ａで押されたシール材７５が突片部２０４に圧接可能に構成されている。
【００３７】
このため、外障子２０Ａを閉めた際には、外障子２０Ａの戸先框２３に当接する縦枠１３のシール材７５が、コーナー部品２００の突片部２０４に当接し、外障子２０Ａの下框２２に当接する上面構成部材７０Ａのシール材７０５の端縁がコーナー部品２００の端縁部２０３に当接するため、各シール材７５，７０５はコーナー部品２００を介して連続されている。
このため、各シール材７５，７０５の配置位置が見込み方向（室内外方向）にずれている本実施形態においても、コーナー部品２００を介在させることで連続するタイトライン（気密ライン）が構成される。
【００３８】
連結部２０５は、中空部７０１の上面７０１Ｃの厚さ分、本体２０１よりも低くされ、その上に中空部７０１の上面７０１Ｃを載置してビス止めすることで上面構成部材７０Ａがコーナー部品２００に固定されている。
【００３９】
コーナー部品２００内には、図７，８に示すように、排水孔２１０が貫通して形成されている。すなわち、排水孔２１０は、本体２０１の室内面から室外側に水平に形成された水平孔部２１１と、この水平孔部２１１から斜め下方に形成されて突出部２０２の室外面に開口された傾斜孔部２１２とで構成されている。
水平孔部２１１の底面は、前記連結部材１２Ｃの上面と同じ高さレベルとされ、前記連結部材１２Ｃ上に流れ込んだ雨水などを排水孔２１０を介して室外側に排出可能に形成されている。
また、水平孔部２１１には水平孔部２１１を開閉可能な排水弁２２０が回動自在に取り付けられている。この排水弁２２０は、排水弁２２０の室内側（前記連結部材１２Ｃ側）に雨水等が溜まり、この雨水によって排水弁２２０の室内面に加わる圧力（いわゆる水頭圧）が、排水弁２２０の室外面に加わる外気圧よりも大きくなると開くように構成されている。
【００４０】
コーナー部品３００は、図３に示すように、縦枠１４の突片１３３、シール材７６、ガイド片１３２の下側に配置されている。従って、上面構成部材７０Ｂは、縦枠１４との間にコーナー部品３００が介在されていることで、縦枠１４の内周面から突出する突出部の下側まで延長されず、突出部が存在しない部分に配置されている。
なお、ガイド片１３２の下端には、内障子２０Ｂを閉じた際に、下枠１２に取り付けられたシール材７０６と内障子２０Ｂの戸先框２８に取り付けられたシール材７７とにそれぞれ当接されてこれらの各シール材７７，７０６によって構成される気密ラインを連続させる気密部材３１０が取り付けられている。すなわち、内障子２０Ｂを閉じた際に、気密部材３１０はシール材７７に当接し、かつ気密部材３１０の底面はシール材７０６の上面に当接され続けているので、各シール材７７，７０６は気密部材３１０を介して連続し、タイトラインも連続することになる。
【００４１】
なお、内障子側領域Ｂにおいては、下枠１２側にシール材７０６が取り付けられ、上面構成部材７０Ｂには取り付けられていないので、上面構成部材７０Ａの室外側部分７０１Ａのように、上面構成部材７０Ｂの端縁を縦枠１４近傍まで延長する必要がない。
なお、上面構成部材７０Ｂの端部は、その中空部７０１の上面７０１Ｃがコーナー部品３００上に載置されてビス止め固定されるように構成されている。
また、各上面構成部材７０Ａ，７０Ｂの召合せ部側の端部は、風止め板内に呑み込まれており、下枠本体１２Ｄに対して熱伸びした際にその変化分を吸収して風止め板から各上面構成部材７０Ａ，７０Ｂが外れないように構成されている。
【００４２】
このような本実施形態においては、各レール１７，１８間に入った塵埃などを掃除する場合には、まず、各上面構成部材７０Ａ、７０Ｂを固定しているビスを取り外し、支持片部４１に係合した係合片７０３、係合部７０４を外す。各上面構成部材７０Ａ，７０Ｂは、縦枠１３，１４の突出部に干渉しないように形成されているので、下枠１２に対してそのまま上方に取り外すことができる。
清掃などが終わった後に、各上面構成部材７０Ａ，７０Ｂを取り付けるには、上記手順と逆に、上方から各上面構成部材７０Ａ，７０Ｂを支持片部４１に係合し、コーナー部品２００，３００にビス止めすればよい。
なお、コーナー部品２００，３００は、下枠１２にビス止めや嵌合固定などにより取り付ければよい。
【００４３】
このような本実施形態によれば、以下のような効果がある。
(1) 下枠１２に対して着脱可能な各上面構成部材７０Ａ，７０Ｂの端部を、縦枠１３，１４の突出部の下側まで延長せず、その部分にはコーナー部品２００，３００を設けたので、各上面構成部材７０Ａ，７０Ｂを下枠１２から取り外す際に縦枠１３，１４に干渉することなく上方に外すことができる。
このため、各レール１７，１８が同じ高さレベルとされたバリアフリータイプの下枠１２のために、室外側に移動して取り外すことができない上面構成部材７０Ａ，７０Ｂを、上方に移動して容易に取り外すことができる。このため、各レール１７，１８間の清掃なども容易に行うことができ、仮に各上面構成部材７０Ａ，７０Ｂが破損しても容易に交換することができ、メンテナンス作業も容易に行うことができる。
【００４４】
(2) コーナー部品２００，３００を介在させることで、下枠１２や各上面構成部材７０Ａ，７０Ｂの形状を、縦枠１３，１４に左右されることなく設定できる。このため、仮に縦枠１３，１４の構造が異なるサッシ窓１においても、下枠１２や各上面構成部材７０Ａ，７０Ｂの形状を共通化することもでき、部材の共通化が図れ、生産効率を向上することもできる。
【００４５】
(3) コーナー部品２００に各シール材７５，７０５を当接させて気密ライン（タイトライン）を形成する機能を持たせたので、縦枠１３のタイトラインと、下枠１２のタイトライトとが見込み方向にずれていても、各タイトラインを確実に繋ぐことができ、気密性能や水密性能を向上できる。
【００４６】
(4) 上面構成部材７０Ａにシール材７０５を取り付けているので、万が一、シール材７０５が破損した場合でも、上面構成部材７０Ａを外して容易に交換することができる。
【００４７】
(5) コーナー部品２００に排水孔２１０を形成したので、支持片部４１に別途排水孔を形成する必要がないため、下枠１２の加工が容易になる。
また、コーナー部品２００に排水弁２２０を設けたので、外レール１７および下框２２間の隙間から流入した外気がシール材７０５で区画された室内側空間に流入することを防止できる。このため、コーナー部品２００の排水孔２１０から外気や雨水等が室内空間に流入することがなく、気密性能や水密性能の低下を防止できる。
また、外気が室内部材１２Ｂ部分に流入しないため、外気温が室温よりも低い場合でも、室内部材１２Ｂが外気に触れて冷却されることがなく、断熱性能の低下を防止でき、断熱サッシに要求される断熱性能を十分に維持することができる。
【００４８】
(6) 上面構成部材７０Ａ，７０Ｂをコーナー部品２００，３００にビス止め固定したので、下枠本体１２Ｄに対して上面構成部材７０Ａ、７０Ｂが熱伸びや熱収縮しても、その端部がコーナー部品２００，３００から離れることを防止でき、コーナー部品２００，３００との間に隙間が生じることを確実に防止できる。
【００４９】
なお、本発明は前記各実施形態の構成に限定されるものではない。
例えば、前記実施形態では、コーナー部品２００に排水孔２１０を形成していたが、排水孔２１０が形成されていないコーナー部品を用いてもよい。
また、コーナー部品２００，３００の形状は、前記実施形態のものに限らず、コーナー部品２００が取り付けられる下枠本体１２Ｄや縦枠１３，１４の断面形状などに応じて適宜設定すればよい。
さらに、コーナー部品２００の固定方法は、ビス止めに限らず、例えば、下枠本体１２Ｄに嵌合固定してもよく、その取付構造も適宜選択できる。
また、前記実施形態のコーナー部品２００は、各シール材７５、７０５が当接してタイトラインの一部を構成していたが、例えば、縦枠および下枠のタイトラインの見込み方向の位置が一致する場合には、コーナー部品２００を介在させずにタイトラインを構成してもよい。
【００５０】
上面構成部材７０Ａ，７０Ｂは、コーナー部品２００，３００にビス止め固定していたが、ビス止めせずに、下枠本体１２Ｄにビス止めしてもよい。
また、上面構成部材７０Ａ，７０Ｂはビス止めせずに、下枠本体１２Ｄ等に係合固定するだけでもよい。
さらに、前記実施形態では、上面構成部材７０Ａにシール材７０５を取り付けていたが、下枠本体１２Ｄ側や框２２側にシール材を取り付けてもよい。また、前記実施形態では、シール材７５を縦枠１３側に、シール材７７を内障子２０Ｂの戸先框２８側に取り付けていたが、シール材７５を外障子２０Ａの戸先框２３側に、シール材７７を縦枠１４側に取り付けてもよい。
【００５１】
また、本発明は、引違い窓に適用される場合に限らず、片引き窓等にも適用することができる。
さらに、窓枠１０や障子２０Ａ，２０Ｂの構造は、前記実施形態に限らない。すなわち、上枠１１、下枠１２、縦枠１３，１４は、それぞれアルミ製の一般的な枠材、金属製の室内外部材を金属に比べて断熱性能に優れた合成樹脂材等で連結した断熱形材、金属製の室外部材と合成樹脂や木等の金属に比べて断熱性能に優れた材質からなる室内部材とで構成された断熱形材等を適宜利用できる。また、断熱性カバー７１〜７３が設けられていない枠材を用いてもよい。
また、障子の構成は、前記実施形態に限定されず、従来から用いられている各種の障子が利用できる。
【産業上の利用可能性】
【００５２】
本発明は、下枠上面が略フラットなバリアフリータイプのサッシ窓に利用できる。
【図面の簡単な説明】
【００５３】
【図１】本発明の実施形態にかかるサッシ窓を示す縦断面図。
【図２】本発明の実施形態にかかるサッシ窓を示す横断面図。
【図３】前記実施形態にかかる下枠および縦枠の一方のコーナー部分を示す斜視図。
【図４】前記実施形態にかかる下枠および縦枠の他方のコーナー部分を示す斜視図。
【図５】図４に示すコーナー部分の分解斜視図。
【図６】図４に示すコーナー部分の下枠端部を示す斜視図。
【図７】図４におけるコーナー部品を示す斜視図。
【図８】図４におけるコーナー部品の断面図。
【図９】図４におけるコーナー部分を示す平面図。
【図１０】図４におけるコーナー部分を示す平面図。
【符号の説明】
【００５４】
１…サッシ窓、１０…窓枠、１１…上枠、１１Ａ…内レール部材、１２…下枠、１２Ａ…室外部材、１２Ｂ…室内部材、１２Ｃ…連結部材、１２Ｄ…下枠本体、１３，１４…縦枠、１３Ａ，１４Ａ…内周面、１５，１７…外レール、１６，１８…内レール、１７Ａ，１８Ａ…案内部、１７Ｂ，１８Ｂ…レール水平面部、２０Ａ…外障子、２０Ｂ…内障子、２１，２６…上框、２２，２７…下框、２３，２８…戸先框、２４，２９…召合せ框、２５…複層ガラス、４１…支持片部、４１Ａ…立上片、４１Ｂ…水平面部、４１Ｃ…係合部、４４…上面、７０，７０Ａ，７０Ｂ…上面構成部材、７１，７２，７３…断熱性カバー、７５，７６，７０５，７０６…シール材、１０１…室外側水平面部、１０２…室内側水平面部、１１０…第１アタッチメント、１２０…第２アタッチメント、１３１，１３２…ガイド片、１３３…突片、１３４…第１係止片、１３５…第２係止片、１３６…係合凹部、２００，３００…コーナー部品、２０１…本体、２０２…突出部、２０２Ａ…上面、２０３…端縁部、２０３Ａ…窓内周面、２０４…突片部、２０５…連結部、２１０…排水孔、２１１…水平孔部、２１２…傾斜孔部、２２０…排水弁、３００…コーナー部品、３１０…気密部材、７０１…中空部、７０１Ａ…室外側部分、７０１Ｂ…室内側部分、７０１Ｃ…上面、７０２…垂下片、７０３…係合片、７０４…係合部、７２１…係合片部、７２２…シール材取付部、７２３…カバー部、７２４…係合部、７３１…係合片部、７３３…カバー部。
【図１】
2005113607.tif 000003
【図２】
2005113607.tif 000004
【図３】
2005113607.tif 000005
【図４】
2005113607.tif 000006
【図５】
2005113607.tif 000007
【図６】
2005113607.tif 000008
【図７】
2005113607.tif 000009
【図８】
2005113607.tif 000010
【図９】
2005113607.tif 000011
【図１０】
2005113607.tif 000012